(57)【要約】【課題】従来の非接触リーダライタなど無線通信機器は、電波伝搬路の伝搬特性を算出するために、推定するため専用のデータのやりとりを行ったり、あらかじめ想定される伝播特性をパラメータとしてメモリ等に保持しておく、といった手段により、伝搬路による歪みの低減をはかっていた。これらの手法によると、実質的通信速度の低下や予め記憶しておくパラメータの増大といったデメリットがある。【解決手段】本発明は、電波伝搬路の伝搬特性の推定に適応信号処理を用いることによって伝搬中に重畳される歪みを低減する非接触リーダライタを提供する。【選択図】図１
2008027270.tif 000002
【特許請求の範囲】
【請求項１】
情報記録担体との間で非接触で情報の読み書きをする非接触リーダライタにおいて、前記非接触リーダライタは、前記情報記録担体に格納され、前記非接触リーダライタからの送信信号に対する応答信号に付加される所定の情報と対応する情報を格納するメモリと、前記メモリに格納された情報と前記応答信号に付加された情報とを比較する比較部と、前記比較部における比較結果に基づき前記情報記録担体へ送信する送信信号を変調する変調部とからなる非接触リーダライタ。
【請求項２】
情報記録担体との間で非接触で情報の読み書きをする非接触リーダライタにおいて、前記非接触リーダライタは、前記情報記録担体に格納され、前記非接触リーダライタからの送信信号に対する応答信号に付加される所定の情報と同一の情報を格納するメモリと、前記メモリに格納された情報と前記応答信号に付加された情報とを比較する比較部と、前記比較部における比較結果に基づいて前記応答信号をフィルタリングするフィルタとからなる非接触リーダライタ。
【請求項３】
情報記録担体との間で非接触で情報の読み書きをする非接触リーダライタにおいて、前記非接触リーダライタは、前記請求項１と請求項２の両方の機能をあわせ持つ非接触リーダライタ。
【請求項４】
非接触リーダライタとの間で非接触で情報の読み書きをする情報記録担体において、前記情報記録担体は、非接触リーダライタからの送信信号を受信する受信部と、前記非接触リーダライタ内に格納され前記送信信号に付加される情報と同一の情報を格納するメモリと、前記メモリに格納された情報と前記送信信号に付加された情報とを比較する比較部と、前記比較部の比較結果に基づき前記送信信号に対する応答信号を変調する変調部とを有する情報記録担体。
【請求項５】
非接触リーダライタとの間で非接触で情報の読み書きをする情報記録担体において、前記情報記録担体は、非接触リーダライタからの送信信号を受信する受信部と、前記非接触リーダライタ内に格納され前記送信信号に付加される情報と同一の情報を格納するメモリと、前記メモリに格納された情報と前記送信信号に付加された情報とを比較する比較部と、前記比較部の比較結果に基づき前記送信信号をフィルタリングするフィルタとを有する情報記録担体。
【請求項６】
非接触リーダライタとの間で非接触で情報の読み書きをする情報記録担体において、前記情報記録担体は、前記請求項４と請求項５の両方の機能をあわせ持つ情報記録担体。
【請求項７】
情報記録担体との間で非接触で情報の読み書きをする非接触リーダライタにおいて、前記非接触リーダライタは、前記非接触リーダライタからの送信信号に対する応答信号から電波伝搬路を算出する算出部と、前記算出部の算出結果に基づき前記情報記録担体へ送信する送信信号を変調する変調部とからなる非接触リーダライタ。
【請求項８】
情報記録担体との間で非接触で情報の読み書きをする非接触リーダライタにおいて、前記非接触リーダライタは、前記非接触リーダライタからの送信信号に対する応答信号から電波伝搬路を算出する算出部と、前記算出部の算出結果に基づき前記応答信号をフィルタリングするフィルタとからなる非接触リーダライタ。
【請求項９】
情報記録担体との間で非接触で情報の読み書きをする非接触リーダライタにおいて、前記非接触リーダライタは、前記請求項８と請求項９の機能をあわせ持つ非接触リーダライタ。
【請求項１０】
非接触リーダライタとの間で非接触で情報の読み書きをする情報記録担体において、前記情報記録担体は、非接触リーダライタからの送信信号を受信する受信部と、前記非接触リーダライタからの送信信号から電波伝搬路を算出する算出部と、前記算出部の算出結果に基づき前記送信信号に対する応答信号を変調する変調部とを有する情報記録担体。
【請求項１１】
情報記録担体との間で非接触で情報の読み書きをする非接触リーダライタからの送信信号を受信する受信部と、前記非接触リーダライタからの送信信号から電波伝搬路を算出する算出部と、前記算出部の算出結果に基づき前記送信信号をフィルタリングするフィルタとを有する情報記録担体。
【請求項１２】
非接触リーダライタとの間で非接触で情報の読み書きをする情報記録担体において、前記情報記録担体は、前記請求項１０と請求項１１の両方の機能をあわせ持つ情報記録担体。
【発明の詳細な説明】
【技術分野】
【０００１】
本発明は無線通信システムに関連し、特にＲＦＩＤシステムにおける伝搬路歪みの補正に関する。
【背景技術】
【０００２】
近年、ＳＣＭ等の分野でＲＦＩＤが活用されつつある。なかでもＵＨＦ帯を利用したＲＦＩＤは、世界標準化と連動して広く利用されようとしている。
【０００３】
また一方で、無線通信システムにおいて、電波伝搬路における歪みによる通信エラーの発生が問題となっている。この通信エラーを低減するために携帯電話などでは、等化処理により信号波形を等化し通信エラーを低減する方法が用いられている。
【０００４】
特に、（特許文献１）では、基地局は、予め想定される複数の異なる伝搬特性に対してそれぞれ最適な複数の等化処理用パラメータを記憶しておく。基地局は、等化処理時にこれら複数のパラメータを順次設定して最適なパラメータを検索し、決定することで通信エラーを低減している。
【０００５】
また、（特許文献２）では、移動局は、基地局に対して教示信号を高速で送信する。教示信号を受信した基地局は、その結果求められる等化処理用パラメータを移動局に低速で送信する。等化処理用パラメータを受信した移動局は、等化器に該パラメータを設定することで通信エラーを低減している。
【特許文献１】特開２００４−１２８６３５号公報
【特許文献２】特許第２７８８７８８号公報
【発明の開示】
【発明が解決しようとする課題】
【０００６】
しかし、（特許文献１）の方法によると、ＲＦＩＤシステムのように１台の非接触リーダライタと１００枚や１０００枚といった複数枚のＲＦＩＤタグとの間で通信を行う場合、予め記憶しておくパラメータが膨大になってしまう。
【０００７】
また、（特許文献２）の方法によると、データの送受信の前にトレーニング専用の送受信が必要となり、実質的な通信速度が低下してしまう。
【課題を解決するための手段】
【０００８】
上記課題を解決するために、本発明の請求項１は、情報記録担体との間で非接触で情報の読み書きをする非接触リーダライタにおいて、前記非接触リーダライタは、前記情報記録担体に格納され前記非接触リーダライタからの送信信号に対する応答信号に付加される所定の情報と対応する情報を格納するメモリと、前記メモリに格納された情報と前記情報記録担体から前記非接触リーダライタへの信号を復調した復調信号とを比較する比較部と、前記比較部における比較結果に基づき前記情報記録担体へ送信する送信信号を変調する変調部とから構成される。
【０００９】
この構成によれば、比較部にて算出した電波伝搬路特性を以って変調部は、非接触リーダライタから情報記録担体へ送信する送信信号が、電波伝搬路を経由して情報記録担体へ達した時点で正しく復調されるように変調する。
【００１０】
これにより、非接触リーダライタから情報記録担体への送信信号に含まれる歪みが低減され、従来前記歪みにより非接触リーダライタから情報記録担体への送信信号が情報記録担体にて正しく復調・復号されなかったために発生していた通信エラーが解消され、通信性能が向上し、通信エリアが拡大する。
【００１１】
また、本発明の請求項２は、情報記録担体との間で非接触で情報の読み書きをする非接触リーダライタにおいて、前記非接触リーダライタは、前記情報記録担体に格納され前記非接触リーダライタからの送信信号に対する応答信号に付加される所定の情報と同一の情報を格納するメモリと、前記メモリに格納された情報と前記情報記録担体から前記非接触リーダライタへの信号を復調した復調信号とを比較する比較部と、前記比較部における比較結果に基づき情報記録担体から非接触リーダライタへの信号を復調した復調信号をフィルタリングするフィルタとから構成される。
【００１２】
この構成によれば、比較部にて算出した電波伝搬路特性を以ってフィルタは、情報記録担体から非接触リーダライタへの信号から電波伝搬路による歪みを取り除くように係数を更新し、フィルタリングを行う。
【００１３】
これにより、情報記録担体から非接触リーダライタへの信号に含まれる歪みが低減され、従来前記歪みにより情報記録担体から非接触リーダライタへの信号が正しく復調・復号されなかったために発生していた通信エラーが解消され、通信性能が向上し、通信エリアが拡大する。
【００１４】
また、請求項３は、情報記録担体との間で非接触で情報の読み書きをする非接触リーダライタにおいて、前記非接触リーダライタは、前記情報記録担体に格納され前記非接触リーダライタからの送信信号に対する応答信号に付加される所定の情報と同一の情報を格納するメモリと、前記メモリに格納された情報と前記情報記録担体から前記非接触リーダライタへの信号を復調した復調信号とを比較する比較部と、前記比較部における比較結果に基づき情報記録担体から非接触リーダライタへの信号を復調した復調信号をフィルタリングするフィルタと、前記比較部における比較結果に基づき前記情報記録担体へ送信する送信信号を変調する変調部とから構成される。
【００１５】
この構成によれば、比較部にて算出した電波伝搬路特性を以って、フィルタは、情報記録担体から非接触リーダライタへの信号から電波伝搬路による歪みを取り除くように係数を更新しフィルタリングを行うと共に、変調部は、非接触リーダライタから情報記録担体へ送信する送信信号が、電波伝搬路を経由して情報記録担体へ達した時点で正しく復調されるように変調する。
【００１６】
これにより、情報記録担体から非接触リーダライタへの信号に含まれる歪みが低減されると共に非接触リーダライタから情報記録担体への信号に含まれる歪みも低減され、通信性能が向上し、通信エリアが拡大する。
【００１７】
また、請求項４は、非接触リーダライタとの間で非接触で情報の読み書きをする情報記録担体において、前記情報記録担体は、非接触リーダライタからの送信信号を受信する受信部と、前記非接触リーダライタ内に格納され前記送信信号に付加される情報と同一の情報を格納するメモリと、前記メモリに格納された情報と前記送信信号に付加された情報とを比較する比較部と、前記比較部における比較結果に基づき前記情報記録担体へ送信する送信信号を変調する変調部とから構成される。
【００１８】
この構成によれば、比較部にて算出した電波伝搬路特性を以って、変調部は、情報記録担体から非接触リーダライタへの信号が、電波伝搬路を経由して非接触リーダライタへ達した時点で正しく復調されるように変調する。
【００１９】
これにより、情報記録担体から非接触リーダライタへの信号に含まれる歪みが低減され、従来前記歪みにより情報記録担体から非接触リーダライタへの信号が非接触リーダライタにて正しく復調・復号されなかったために発生していた通信エラーが解消され、通信性能が向上し、通信エリアが拡大する。
【００２０】
また、請求項５は、非接触リーダライタとの間で非接触で情報の読み書きをする情報記録担体において、前記情報記録担体は、非接触リーダライタからの送信信号を受信する受信部と、前記非接触リーダライタ内に格納され前記送信信号に付加される情報と同一の情報を格納するメモリと、前記メモリに格納された情報と前記送信信号に付加された情報とを比較する比較部と、前記比較部の比較結果に基づき前記送信信号をフィルタリングするフィルタとから構成される。
【００２１】
この構成によれば、比較部にて算出した電波伝搬路特性を以って、フィルタは、非接触リーダライタから情報記録担体への信号から電波伝搬路による歪みを取り除くように係数を更新し、フィルタリングを行う。
【００２２】
これにより、非接触リーダライタから情報記録担体への送信信号に含まれる歪みが低減され、従来前記歪みにより非接触リーダライタから情報記録担体への送信信号が正しく復号されなかったために発生していた通信エラーが解消され、通信性能が向上し、通信エリアが拡大する。
【００２３】
また、請求項６は、非接触リーダライタとの間で非接触で情報の読み書きをする情報記録担体において、前記情報記録担体は、非接触リーダライタからの送信信号を受信する受信部と、前記非接触リーダライタ内に格納され前記送信信号に付加される情報と同一の情報を格納するメモリと、前記メモリに格納された情報と前記送信信号に付加された情報とを比較する比較部と、前記比較部における比較結果に基づき前記情報記録担体へ送信する送信信号を変調する変調部と、前記比較部の比較結果に基づき前記送信信号をフィルタリングするフィルタとから構成される。
【００２４】
この構成によれば、比較部にて算出した電波伝搬路特性を以って、フィルタは、非接触リーダライタから情報記録担体への信号から電波伝搬路による歪みを取り除くように係数を更新し、フィルタリングすると共に、変調部は、情報記録担体から非接触リーダライタへ送信する送信信号が、電波伝搬路を経由して非接触リーダライタへ達した時点で正しく復調されるように変調する。
【００２５】
これにより、非接触リーダライタから情報記録担体への信号に含まれる歪みがフィルタにて低減されると共に情報記録担体から非接触リーダライタからへの信号に含まれる歪みも変調部にて低減され、通信性能が向上し、通信エリアが拡大する。
【００２６】
また、請求項７は、情報記録担体との間で非接触で情報の読み書きをする非接触リーダライタにおいて、前記非接触リーダライタは、前記非接触リーダライタからの送信信号に対する応答信号から電波伝搬路を算出する算出部と、前記算出部の算出結果に基づき前記情報記録担体へ送信する送信信号を変調する変調部とから構成される。
【００２７】
この構成によれば、算出部にて算出した電波伝搬路特性を以って変調部は、非接触リーダライタから情報記録担体へ送信する信号が、電波伝搬路を経由して情報記録担体へ達した時点で正しく復調されるように変調する。
【００２８】
これにより、構成が比較的簡単になり、かつ非接触リーダライタから情報記録担体への送信信号に含まれる歪みが低減され、従来前記歪みにより非接触リーダライタから情報記録担体への送信信号が情報記録担体にて正しく復調・復号されなかったために発生していた通信エラーが解消され、通信性能が向上し、通信エリアが拡大する。
【００２９】
また、請求項８は、情報記録担体との間で非接触で情報の読み書きをする非接触リーダライタにおいて、前記非接触リーダライタは、前記非接触リーダライタからの送信信号に対する応答信号から電波伝搬路を算出する算出部と、前記算出部における算出結果に基づき情報記録担体から非接触リーダライタへの信号を復調した復調信号をフィルタリングするフィルタとから構成される。
【００３０】
この構成によれば、算出部にて算出した電波伝搬路特性を以ってフィルタは、情報記録担体から非接触リーダライタへの信号から電波伝搬路による歪みを取り除くように係数を更新し、フィルタリングを行う。
【００３１】
これにより、構成が比較的簡単になり、かつ情報記録担体から非接触リーダライタへの送信信号に含まれる歪みが低減され、従来前記歪みにより情報記録担体から非接触リーダライタへの送信信号が正しく復調・復号されなかったために発生していた通信エラーが解消され、通信性能が向上し、通信エリアが拡大する。
【００３２】
また、請求項９は、情報記録担体との間で非接触で情報の読み書きをする非接触リーダライタにおいて、前記非接触リーダライタは、前記非接触リーダライタからの送信信号に対する応答信号から電波伝搬路を算出する算出部と、前記算出部における算出結果に基づき情報記録担体から非接触リーダライタへの信号を復調した復調信号をフィルタリングするフィルタと、前記算出部の算出結果に基づき前記情報記録担体へ送信する送信信号を変調する変調部とから構成される。
【００３３】
この構成によれば、算出部にて算出した電波伝搬路特性を以って変調部は、非接触リーダライタから情報記録担体へ送信する信号が、電波伝搬路を経由して情報記録担体へ達した時点で正しく復調されるように変調すると共に、フィルタは、情報記録担体から非接触リーダライタへの信号から電波伝搬路による歪みを取り除くように係数を更新し、フィルタリングを行う。
【００３４】
これにより、構成が比較的簡単になり、かつ情報記録担体から非接触リーダライタへの信号に含まれる歪みが低減されると共に非接触リーダライタから情報記録担体への信号に含まれる歪みも低減され、通信性能が向上し、通信エリアが拡大する。
【００３５】
また、請求項１０は、非接触リーダライタとの間で非接触で情報の読み書きをする情報記録担体において、前記情報記録担体は、非接触リーダライタからの送信信号を受信する受信部と、前記非接触リーダライタからの送信信号に対する応答信号から電波伝搬路を算出する算出部と、前記算出部における算出結果に基づき前記非接触リーダライタへ送信する送信信号を変調する変調部とから構成される。
【００３６】
この構成によれば、算出部にて算出した電波伝搬路特性を以って、変調部は、情報記録担体から非接触リーダライタへの信号が、電波伝搬路を経由して非接触リーダライタへ達した時点で正しく復調されるように変調する。
【００３７】
これにより、構成が比較的簡単になり、かつ情報記録担体から非接触リーダライタへの信号に含まれる歪みが低減され、従来前記歪みにより情報記録担体から非接触リーダライタへの信号が非接触リーダライタにて正しく復調・復号されなかったために発生していた通信エラーが解消され、通信性能が向上し、通信エリアが拡大する。
【００３８】
また、請求項１１は、非接触リーダライタとの間で非接触で情報の読み書きをする情報記録担体において、前記情報記録担体は、非接触リーダライタからの送信信号を受信する受信部と、前記非接触リーダライタからの送信信号に対する応答信号から電波伝搬路を算出する算出部と、前記算出部の算出結果に基づき前記送信信号をフィルタリングするフィルタとから構成される。
【００３９】
この構成によれば、算出部にて算出した電波伝搬路特性を以って、フィルタは、非接触リーダライタから情報記録担体への信号から電波伝搬路による歪みを取り除くように係数を更新し、フィルタリングを行う。
【００４０】
これにより、構成が比較的簡単になり、かつ非接触リーダライタから情報記録担体への送信信号に含まれる歪みが低減され、従来前記歪みにより非接触リーダライタから情報記録担体への送信信号が正しく復号されなかったために発生していた通信エラーが解消され、通信性能が向上し、通信エリアが拡大する。
【００４１】
また、請求項１２は、非接触リーダライタとの間で非接触で情報の読み書きをする情報記録担体において、前記情報記録担体は、非接触リーダライタからの送信信号を受信する受信部と、前記非接触リーダライタからの送信信号に対する応答信号から電波伝搬路を算出する算出部と、前記算出部における算出結果に基づき前記非接触リーダライタへ送信する送信信号を変調する変調部と、前記算出部の算出結果に基づき前記送信信号をフィルタリングするフィルタとから構成される。
【００４２】
この構成によれば、算出部にて算出した電波伝搬路特性を以って、フィルタは、非接触リーダライタから情報記録担体への信号から電波伝搬路による歪みを取り除くように係数を更新し、フィルタリングすると共に、変調部は、情報記録担体から非接触リーダライタへ送信する送信信号が、電波伝搬路を経由して非接触リーダライタへ達した時点で正しく復調されるように変調する。
【００４３】
これにより、構成が比較的簡単になり、かつ非接触リーダライタから情報記録担体への信号に含まれる歪みがフィルタにて低減されると共に情報記録担体から非接触リーダライタからへの信号に含まれる歪みも変調部にて低減され、通信性能が向上し、通信エリアが拡大する。
【発明の効果】
【００４４】
以上のように、ＲＦＩＤシステムに適応等化器を適用することにより電波伝搬路における歪みを低減でき、また前記歪みに伴って発生する通信エラーを低減することができる。この結果、従来通信ができなかったエリアが通信可能エリアとすることができる。
【発明を実施するための最良の形態】
【００４５】
以下、本発明を実施するための第１の最良の形態について、図１を用いて説明する。
【００４６】
図１は、本実施の形態のＲＦＩＤシステムの構成を示すブロック図である。
【００４７】
図１において、１０１は本発明の非接触リーダライタ、１０２は情報記録担体であり、１０３はホストコンピュータとの通信などを処理するメイン処理部、１０４は情報記録担体への情報を符号化する符号化部、１０５は前記符号化部１０４によって符号化された信号を変調する変調部、１０６は前記変調部１０５にて変調された信号を情報記録担体へ送信する送信部、１０７は情報記録担体からの信号を受信する受信部、１０８は前記受信部１０７で受信した信号を復調する復調部、１０９は前記情報記録担体からの信号に付加される所定の情報と同一の情報を格納するメモリ、１１０は前記復調部１０８にて復調された信号と前記メモリ１０９の信号を比較する比較部、１１１は前記復調部１０８の出力信号を復号する復号化部である。
【００４８】
以上のように構成された非接触リーダライタについてその処理を図１３を用いて説明する。
【００４９】
メイン処理部１０３は、ホストコンピュータからの指示などにより情報記録担体１０２への命令信号を生成する。メイン処理部１０３は、前記命令信号を符号化部１０４に出力する（Ｓ１０１）。符号化部１０４は、前記命令信号を符号化し、該符号化信号を変調部１０５に出力する（Ｓ１０２）。変調部１０５は、前記符号化信号を変調し、前記変調信号を送信部１０６に出力する（Ｓ１０３）。送信部１０６は、前記変調信号を情報記録担体に送信する（Ｓ１０４）。情報記録担体１０２は、前記変調信号を復調、処理し、応答信号を非接触リーダライタ１０１に送信する（Ｓ１０５）。受信部１０７は、前記情報記録担体１０２からの応答信号を受信し、復調部１０８へ出力する（Ｓ１０６）。復調部１０８は、前記受信信号を復調し、該復調信号を復号化部１１１と、比較部１１０へ出力する（Ｓ１０７）。復号化部１１１は、前記復調信号を復号し、該復号信号をメイン処理部１０３へ出力する（Ｓ１０８）。比較部１１０は、前記復調部１０８で復調した信号とメモリ１０９に格納されている信号とを比較し（Ｓ１０９）、電波伝搬路の伝搬特性を算出し、該算出した伝搬特性を変調部１０５へ出力する（Ｓ１１０）。変調部１０５は、前記算出した伝搬特性を基に情報記録担体１０２へ送信する信号を変調する際に該送信信号が情報記録担体１０２へ達する時点で正しく復調されるように変調する。
【００５０】
ここで、比較部１１０は、前記復調信号とメモリ１０９に格納されている信号とより電波伝搬路の伝搬特性を算出する方法として、前記復調信号をバッファリングして全情報を一括で処理しても良いし、復調信号の各サンプル毎の情報よりＬＭＳアルゴリズムのような適応アルゴリズムを用いても良いし、数サンプルをブロック化しＢＬＭＳアルゴリズムのような適応アルゴリズムを用いても良い。
【００５１】
以上のように、本実施の形態によれば、比較部１１０にて電波伝搬路の伝搬特性を算出し、該算出結果を情報記録担体への信号の変調に反映させることによって、非接触リーダライタから情報記録担体への送信信号に含まれる歪みを低減でき、従来前記歪みにより非接触リーダライタから情報記録担体への送信信号が正しく復調・復号されなかったために発生していた通信エラーが解消され、通信性能が向上し、結果として通信エリアを拡大することができる。
【００５２】
次に本発明を実施するための第２の最良の形態について、図２を用いて説明する。
【００５３】
図２は、本実施の形態のＲＦＩＤシステムの構成を示すブロック図であり、図１に示す構成と異なるのは、復調信号をフィルタリングするフィルタ２１２を備えていることである。
【００５４】
次に図２のように構成された非接触リーダライタについてその処理について図１４を用いて述べる。
【００５５】
メイン処理部１０３は、ホストコンピュータからの指示などにより情報記録担体１０２への命令信号を生成する。メイン処理部１０３は、前記命令信号を符号化部１０４に出力する（Ｓ２０１）。符号化部１０４は、前記命令信号を符号化し、該符号化信号を変調部１０５に出力する（Ｓ２０２）。変調部１０５は、前記符号化信号を変調し、前記変調信号を送信部１０６に出力する（Ｓ２０３）。送信部１０６は、前記変調信号を情報記録担体１０２に送信する（Ｓ２０４）。情報記録担体１０２は、前記変調信号を復調、処理し、応答信号を非接触リーダライタ１０１に送信する（Ｓ２０５）。受信部１０７は、前記情報記録担体１０２からの応答信号を受信し、復調部１０８へ出力する（Ｓ２０６）。復調部１０８は、前記受信信号を復調し、該復調信号をフィルタ２１２と、比較部１１０へ出力する（Ｓ２０７）。フィルタ２１２は、前記復調信号を保持しているフィルタ係数によりフィルタリングし、該フィルタリング結果を復号化部１１１へ出力する（Ｓ２０８）。復号化部１１１は、前記フィルタリング結果を復号し、該復号信号をメイン処理部１０３へ出力する（Ｓ２０９）。比較部１１０は、前記復調部１０８で復調した信号とメモリ１０９に格納されている信号とを比較し（Ｓ２１０）、電波伝搬路の伝搬特性を算出し、該算出した伝搬特性をフィルタ２１２へ逐次出力する（Ｓ２１１）。フィルタ２１２は、前記算出された伝搬特性により求められる電波伝搬路における歪み成分を取り除くようにフィルタ係数を更新し（Ｓ２１２）、該フィルタ係数を以ってフィルタリング処理する。
【００５６】
ここで、比較部１１０は、前記復調信号とメモリ１０９に格納されている信号とより電波伝搬路の伝搬特性を算出する方法として、前記復調信号をバッファリングして全情報を一括で処理しても良いし、復調信号の各サンプル毎の情報よりＬＭＳアルゴリズムのような適応アルゴリズムを用いても良いし、数サンプルをブロック化しＢＬＭＳアルゴリズムのような適応アルゴリズムを用いても良い。
【００５７】
以上のように、本実施の形態によれば、比較部１１０にて電波伝搬路の伝搬特性を算出し、該算出結果をフィルタ２１２の係数に反映させることによって、情報記録担体１０２から非接触リーダライタへの応答信号に含まれる歪みを低減でき、その結果、従来前記歪みにより情報記録担体１０２から非接触リーダライタへの信号が正しく復調・復号されなかったために発生していた通信エラーが解消され、通信性能が向上し、結果として通信エリアを拡大することができる。
【００５８】
また、比較部１１０は、図３に示すように上記算出した電波伝搬路の伝搬特性を変調部１０５へ出力するようにしてもよい。
【００５９】
このように、比較部１１０にて算出した電波伝搬路の伝搬特性をフィルタ２１２と変調部１０５の両方に出力することによって、情報記録担体から非接触リーダライタへの応答信号に含まれる歪みを低減できるとともに、非接触リーダライタから情報記録担体への送信信号に含まれる歪みも低減でき、従来前記歪みにより非接触リーダライタと情報記録担体との間の信号が正しく復調・復号されなかったために発生していた通信エラーが解消され、通信性能が向上し、結果として通信エリアを拡大することができる。
【００６０】
次に本発明を実施するための第３の最良の形態について、図４を用いて説明する。
【００６１】
図４は、本実施の形態のＲＦＩＤシステムの構成を示すブロック図である。
【００６２】
図４において、１０１は非接触リーダライタ、１０２は本発明の情報記録担体、４１３は非接触リーダライタ１０１からの信号を受信する受信部、４１４は前記受信部４１３で受信した信号を復調する復調部、４１５は前記復調部４１４で復調した信号を復号する復号化部、４１６は前記復号化部４１５にて復号された信号を基に応答信号を生成するメイン処理部、４１７は前記メイン処理部４１６で生成された応答信号を符号化する符号化部、４１８は前記符号化部４１７で符号化した信号を変調する変調部、４１９は前記変調部４１８にて変調した信号を非接触リーダライタ１０１へ送信する送信部、４２０は前記非接触リーダライタ１０１からの信号に付加される所定の情報と同一の情報を格納するメモリ、４２１は前記復調部４１４にて復調された信号と前記メモリ４２０の信号を比較する比較部である。
【００６３】
以上のように構成された情報記録担体についてその処理を図１５を用いて説明する。
【００６４】
非接触リーダライタ１０１は、情報記録担体１０２に対して信号を送信する。受信部４１３は、前記信号を受信し復調部４１４へ出力する（Ｓ３０１）。復調部４１４は、前記受信信号を復調し、復調信号を復号化部４１５と比較部４２１へ出力する（Ｓ３０２）。復号化部４１５は、前記復調信号を復号し、該復号信号をメイン処理部４１６へ出力する（Ｓ３０３）。メイン処理部４１６は、前記復号信号を基に応答信号を生成し、該応答信号を符号化部４１７へ出力する（Ｓ３０４）。符号化部４１７は、前記応答信号を符号化し、該符号化信号を変調部４１８へ出力する（Ｓ３０５）。変調部４１８は、前記符号化信号を変調し、送信部４１９へ出力する（Ｓ３０６）。送信部４１９は、前記変調信号を非接触リーダライタ１０１へ送信する（Ｓ３０７）。比較部４２１は、前記復調部４１４で復調された信号とメモリ４２０に格納されている信号とを比較し（Ｓ３０８）、電波伝搬路の伝搬特性を算出し、該算出された伝搬特性を変調部４１８へ出力する（Ｓ３０９）。変調部４１８は、前記算出した伝搬特性を基に非接触リーダライタ１０１へ送信する信号を変調する際に該送信信号が非接触リーダライタ１０１へ達する時点で正しく復調されるように変調する。
【００６５】
以上のように、本実施の形態によれば、比較部４２１にて電波伝搬路の伝搬特性を算出し、該結果を非接触リーダライタへの信号の変調に反映させることによって、情報記録担体から非接触リーダライタへの信号に含まれる歪みを低減でき、その結果、従来前記歪みにより情報記録担体から非接触リーダライタへの信号が正しく復調・復号されなかったために発生していた通信エラーが解消され、通信性能が向上し、結果として通信エリアを拡大することができる。
【００６６】
次に本発明を実施するための第４の最良の形態について、図５を用いて説明する。
【００６７】
図５は、本実施の形態のＲＦＩＤシステムの構成を示すブロック図であり、図４に示す構成と異なるのは、復調信号をフィルタリングするフィルタ５２２を備えていることである。
【００６８】
次にその処理について図１６を用いて、述べる。
【００６９】
非接触リーダライタは、情報記録担体に対して信号を送信する。受信部４１３は、前記信号を受信し復調部４１４へ出力する（Ｓ４０１）。復調部４１４は、前記受信信号を復調し、該復調信号をフィルタ５２２と比較部４２１へ出力する（Ｓ４０２）。フィルタ５２２は、前記復調信号を保持しているフィルタ係数によりフィルタリングし、該フィルタリング結果を復号化部４１５へ出力する（Ｓ４０３）。復号化部４１５は、前記復調信号を復号し、該復号信号をメイン処理部４１６へ出力する（Ｓ４０４）。メイン処理部４１６は、前記復号信号を基に応答信号を生成し、該応答信号を符号化部４１７へ出力する（Ｓ４０５）。符号化部４１７は、前記応答信号を符号化し、該符号化信号を変調部４１８へ出力する（Ｓ４０６）。変調部４１８は、前記符号化信号を変調し、該変調信号を送信部４１９へ出力する（Ｓ４０７）。送信部４１９は、前記変調信号を非接触リーダライタ１０１へ送信する（Ｓ４０８）。比較部４２１は、前記復調部４１４で復調された信号とメモリ４２０に格納されている信号とを比較し（Ｓ４０９）、電波伝搬路の伝搬特性を算出し、該算出された伝搬特性をフィルタ５２２へ逐次出力する（Ｓ４１０）。フィルタ５２２は、前記算出された伝搬特性により求められた電波伝搬路における歪み成分を取り除くようにフィルタ係数を更新し（Ｓ４１１）、該フィルタ係数を以ってフィルタリング処理する。
【００７０】
以上のように、本実施の形態によれば、比較部４２１にて電波伝搬路の伝搬特性を算出し、該結果をフィルタ５２２の係数に反映させることによって、非接触リーダライタから情報記録担体への信号に含まれる歪みを低減でき、その結果、従来前記歪みにより非接触リーダライタから情報記録担体への信号が正しく復調・復号されなかったために発生していた通信エラーが解消され、通信性能が向上し、結果として通信エリアを拡大することができる。
【００７１】
また、比較部４２１は、図６に示すように上記算出した電波伝搬路の伝搬特性を変調部４１８へ出力するようにしてもよい。
【００７２】
このように、比較部４２１にて算出した電波伝搬路の伝搬特性をフィルタ５２２と変調部４１８の両方に出力することによって、情報記録担体から非接触リーダライタへの信号に含まれる歪みを低減できるとともに、非接触リーダライタから情報記録担体への信号に含まれる歪みも低減でき、従来前記歪みにより非接触リーダライタと情報記録担体との間の信号が正しく復調・復号されなかったために発生していた通信エラーが解消され、通信性能が向上し、結果として通信エリアを拡大することができる。
【００７３】
次に本発明を実施するための第５の最良の形態について、図７を用いて説明する。
【００７４】
図７は、本実施の形態のＲＦＩＤシステムの構成を示すブロック図である。
【００７５】
図７において、１０１は本発明の非接触リーダライタ、１０２は情報記録担体であり、１０３はホストコンピュータとの通信などを処理するメイン処理部、１０４は情報記録担体１０２への情報を符号化する符号化部、１０５は前記符号化部１０４によって符号化された信号を変調する変調部、１０６は前記変調部１０５にて変調された信号を情報記録担体１０２へ送信する送信部、１０７は情報記録担体１０２からの信号を受信する受信部、１０８は前記受信部１０７で受信した信号を復調する復調部、７２３は前記復調部１０８の出力信号より電波伝搬路の伝搬特性を算出する算出部、１１１は前記復調部１０８の出力信号を復号する復号化部である。
【００７６】
以上のように構成された非接触リーダライタについてその処理を図１７を用いて、説明する。
【００７７】
メイン処理部１０３は、ホストコンピュータからの指示により情報記録担体１０２への命令信号を生成する。メイン処理部１０３は、前記命令信号を符号化部１０４に出力する（Ｓ５０１）。符号化部１０４は、前記命令信号を符号化し、該符号化信号を変調部１０５に出力する（Ｓ５０２）。変調部１０５は、前記符号化信号を変調し、該変調信号を送信部１０６に出力する（Ｓ５０３）。送信部１０６は、前記変調信号を情報記録担体１０２に送信する（Ｓ５０４）。情報記録担体１０２は、前記変調信号を復調・処理し、応答信号を非接触リーダライタ１０１に送信する（Ｓ５０５）。受信部１０７は、前記情報記録担体１０２からの信号を受信し、復調部１０８へ出力する（Ｓ５０６）。復調部１０８は、前記受信信号を復調し、該復調信号を復号化部１１１と算出部７２３へ出力する（Ｓ５０７）。復号化部１１１は、前記復調信号を復号し、該復号信号をメイン処理部１０３へ出力する（Ｓ５０８）。算出部７２３は、前記復調部１０８の出力結果より電波伝搬路の伝搬特性を算出し、該算出された伝搬特性を変調部１０５へ出力する（Ｓ５０９）。変調部１０５は、前記算出した伝搬特性を基に情報記録担体１０２へ送信する信号を変調する際に該送信信号が情報記録担体１０２へ達する時点で正しく復調されるように変調する。
【００７８】
ここで、算出部７２３は、前記復調信号のみから電波伝搬路の伝搬特性を算出する方法として、ブラインド適応アルゴリズムなどを使用する。
【００７９】
以上のように、本実施の形態によれば、復調部１０８で復調された信号のみを用いて算出部７２３にて電波伝搬路の伝搬特性を算出し、該算出結果を次の情報記録担体への信号の変調に反映させることによって、構成が比較的簡単になり、かつ非接触リーダライタから情報記録担体への送信信号に含まれる歪みを低減でき、従来前記歪みにより非接触リーダライタから情報記録担体への送信信号が正しく復調・復号されなかったために発生していた通信エラーが解消され、通信性能が向上し、結果として通信エリアを拡大することができる。
【００８０】
次に本発明を実施するための第６の最良の形態について、図８を用いて説明する。
【００８１】
図８は、本実施の形態のＲＦＩＤシステムの構成を示すブロック図であり、図７に示す構成と異なるのは、復調信号をフィルタリングするフィルタ２１２を備えていることである。
【００８２】
次にその処理について図１８を用いて、述べる。
【００８３】
メイン処理部１０３は、ホストコンピュータからの指示により情報記録担体１０２への命令信号を生成する。メイン処理部１０３は、前記命令信号を符号化部１０４に出力する（Ｓ６０１）。符号化部１０４は、前記命令信号を符号化し、該符号化信号を変調部１０５に出力する（Ｓ６０２）。変調部１０５は、前記符号化信号を変調し、送信部１０６に出力する（Ｓ６０３）。送信部１０６は、前記変調信号を情報記録担体１０２に送信する（Ｓ６０４）。情報記録担体１０２は、前記変調信号を復調、処理し、応答信号を非接触リーダライタ１０１に送信する（Ｓ６０５）。受信部１０７は、前記情報記録担体１０２からの信号を受信し、復調部１０８へ出力する（Ｓ６０６）。復調部１０８は、前記受信信号を復調し、該復調信号をフィルタ２１２と算出部７２３へ出力する（Ｓ６０７）。フィルタ２１２は、前記復調信号を保持しているフィルタ係数によりフィルタリングし、該フィルタリング結果を復号化部１１１へ出力する（Ｓ６０８）。復号化部１１１は、前記フィルタリング結果を復号処理し、該復号信号をメイン処理部１０３へ出力する（Ｓ６０９）。算出部７２３は、前記復調部１０８で復調した信号より電波伝搬路の伝搬特性を算出し、該算出した伝搬特性をフィルタ２１２へ逐次出力する（Ｓ６１０）。フィルタ２１２は、前記算出された伝搬特性により求められる電波伝搬路における歪み成分を取り除くようにフィルタ係数を更新し（Ｓ６１１）、該フィルタ係数を以ってフィルタリング処理する。
【００８４】
以上のように、本実施の形態によれば、復調部１０８で復調された信号のみを用いて算出部７２３にて電波伝搬路の伝搬特性を算出し、該算出結果をフィルタ２１２の係数に反映させることによって、構成が比較的簡単になり、かつ情報記録担体から非接触リーダライタへの応答信号に含まれる歪みを低減でき、その結果、従来前記歪みにより情報記録担体から非接触リーダライタへの信号が正しく復調・復号されなかったために発生していた通信エラーが解消され、通信性能が向上し、結果として通信エリアを拡大することができる。
【００８５】
また、算出部７２３は、図９に示すように上記算出した電波伝搬路の伝搬特性を変調部１０５へ出力するようにしてもよい。
【００８６】
このように、算出部７２３にて算出した電波伝搬路の伝搬特性をフィルタ２１２と変調部１０５の両方に出力することによって、構成が比較的簡単になり、かつ情報記録担体から非接触リーダライタへの応答信号に含まれる歪みを低減できるとともに、非接触リーダライタから情報記録担体への送信信号に含まれる歪みも低減でき、従来前記歪みにより非接触リーダライタと情報記録担体との間の信号が正しく復調・復号されなかったために発生していた通信エラーが解消され、通信性能が向上し、結果として通信エリアを拡大することができる。
【００８７】
次に本発明を実施するための第７の最良の形態について、図１０を用いて説明する。
【００８８】
図１０は、本実施の形態のＲＦＩＤシステムの構成を示すブロック図である。
【００８９】
図１０において、１０１は非接触リーダライタ、１０２は、本発明の情報記録担体、４１３は非接触リーダライタ１０１からの信号を受信する受信部、４１４は前記受信部４１３で受信した信号を復調する復調部、４１５は前記復調部４１４で復調した信号を復号する復号化部、４１６は前記復号化部４１５にて復号された信号を基に応答信号を生成するメイン処理部、４１７は前記メイン処理部４１６で生成された応答信号を符号化する符号化部、４１８は前記符号化部４１７で符号化した信号を変調する変調部、４１９は前記変調部４１８にて変調した信号を非接触リーダライタ１０１へ送信する送信部、１０２４は前記復調部４１４にて復調された信号から電波伝搬路の伝搬特性を算出する算出部である。
【００９０】
以上のように構成された非接触リーダライタについてその処理を図１９を用いて説明する。
【００９１】
非接触リーダライタ１０１は、情報記録担体１０２に対して信号を送信する。受信部４１３は、前記信号を受信し復調部４１４へ出力する（Ｓ７０１）。復調部４１４は、前記受信信号を復調し、該復調信号を復号化部４１５と算出部１０２４へ出力する（Ｓ７０２）。復号化部４１５は、前記復調信号を復号し、該復号信号をメイン処理部４１６へ出力する（Ｓ７０３）。メイン処理部４１６は、前記復号信号を基に応答信号を生成し、該応答信号を符号化部４１７へ出力する（Ｓ７０４）。符号化部４１７は、前記応答信号を符号化し、該符号化信号を変調部４１８へ出力する（Ｓ７０５）。変調部４１８は、前記符号化信号を変調し、該変調信号を送信部４１９へ出力する（Ｓ７０６）。送信部４１９は、前記変調信号を非接触リーダライタ１０１へ送信する（Ｓ７０７）。算出部１０２４は、前記復調部４１４の出力結果より電波伝搬路の伝搬特性を算出し、該算出された伝搬特性を変調部４１８へ出力する（Ｓ７０８）。変調部４１８は、前記算出した伝搬特性を基に非接触リーダライタ１０１へ送信する信号を変調する際に該送信信号が非接触リーダライタ１０１へ達する時点で正しく復調されるように変調する。
【００９２】
以上のように本実施の形態によれば、復調部４１４で復調された信号のみを用いて算出部１０２４にて電波伝搬路の伝搬特性を算出し、該算出結果を非接触リーダライタへの信号の変調に反映させることによって、構成が比較的簡単になり、かつ情報記録担体から非接触リーダライタへの信号に含まれる歪みを低減でき、その結果、従来前記歪みにより情報記録担体から非接触リーダライタからへの信号が正しく復調・復号されなかったために発生していた通信エラーが解消され、通信性能が向上し、結果として通信エリアを拡大することができる。
【００９３】
次に本発明を実施するための第８の最良の形態について、図１１を用いて説明する。
【００９４】
図１１は、本実施の形態のＲＦＩＤシステムの構成を示すブロック図であり、図１０に示す構成とことなるのは、復調信号をフィルタリングするフィルタ５２２を備えていることである。
【００９５】
次にその処理について図２０を用いて、説明する。
【００９６】
非接触リーダライタ１０１は、情報記録担体１０２に対して信号を送信する。受信部４１３は、前記信号を受信し復調部４１４へ出力する（Ｓ８０１）。復調部４１４は、前記受信信号を復調し、該復調信号をフィルタ５２２と算出部１０２４へ出力する（Ｓ８０２）。フィルタ５２２は、前記復調信号を保持しているフィルタ係数によりフィルタリングし、該フィルタリング結果を復号化部４１５へ出力する（Ｓ８０３）。復号化部４１５は、前記フィルタリング結果を復号し、該復号信号をメイン処理部４１６へ出力する（Ｓ８０４）。メイン処理部４１６は、前記復号信号を基に応答信号を生成し、該応答信号を符号化部４１７へ出力する（Ｓ８０５）。符号化部４１７は、前記応答信号を符号化し、該符号化信号を変調部４１８へ出力する（Ｓ８０６）。変調部４１８は、前記符号化信号を変調し、該変調信号を送信部４１９へ出力する（Ｓ８０７）。送信部４１９は、前記変調信号を非接触リーダライタ１０１へ送信する（Ｓ８０８）。算出部１０２４は、前記復調部４１４の出力結果より電波伝搬路の伝搬特性を算出し、該算出された伝搬特性をフィルタ５２２へ逐次出力する（Ｓ８０９）。フィルタ５２２は、前記算出された伝搬特性により求められた電波伝搬路における歪み成分を取り除くようにフィルタ係数を更新し（Ｓ８１０）、該フィルタ係数を以ってフィルタリング処理する。
【００９７】
以上のように本実施の形態によれば、復調部４１４で復調された信号のみを用いて算出部１０２４にて電波伝搬路の伝搬特性を算出し、該算出結果をフィルタ５２２の係数に反映させることによって、構成が比較的簡単になり、かつ非接触リーダライタから情報記録担体への信号に含まれる歪みを低減でき、その結果、従来前記歪みにより非接触リーダライタから情報記録担体への信号が正しく復調・復号されなかったために発生していた通信エラーが解消され、通信性能が向上し、結果として通信エリアを拡大することができる。
【００９８】
また、算出部１０２４は、図１２に示すように上記算出した電波伝搬路の伝搬特性を変調部４１８へ出力するようにしてもよい。
【００９９】
このように、算出部１０２４にて算出した電波伝搬路の伝搬特性をフィルタ５２２と変調部４１８の両方に出力することによって、構成が比較的簡単であり、かつ情報記録担体から非接触リーダライタへの信号に含まれる歪みを低減できるとともに、非接触リーダライタから情報記録担体への信号に含まれる歪みも低減でき、従来前記歪みにより非接触リーダライタと情報記録担体との間の信号が正しく復調・復号されなかったために発生していた通信エラーが解消され、通信性能が向上し、結果として通信エリアを拡大することができる。
【産業上の利用可能性】
【０１００】
本発明の非接触リーダライタおよび情報記録担体は、従来通信不能であったエリアを通信可能とすることができ、ＲＦＩＤシステムに代表される無線通信システムに産業上有用である。
【図面の簡単な説明】
【０１０１】
【図１】本発明の非接触リーダライタの実施の形態１におけるブロック構成図
【図２】本発明の非接触リーダライタの実施の形態２におけるブロック構成図
【図３】本発明の実施の形態１及び２の特長を合わせ持つ非接触リーダライタのブロック図
【図４】本発明の非接触リーダライタの実施の形態３におけるブロック構成図
【図５】本発明の非接触リーダライタの実施の形態４におけるブロック構成図
【図６】本発明の実施の形態３及び４の特長を合わせ持つ非接触リーダライタのブロック図
【図７】本発明の非接触リーダライタの実施の形態５におけるブロック構成図
【図８】本発明の非接触リーダライタの実施の形態６におけるブロック構成図
【図９】本発明の実施の形態５及び６の特長を合わせ持つ非接触リーダライタのブロック図
【図１０】本発明の非接触リーダライタの実施の形態７におけるブロック構成図
【図１１】本発明の非接触リーダライタの実施の形態８におけるブロック構成図
【図１２】本発明の実施の形態７及び８の特長を合わせ持つ非接触リーダライタのブロック図
【図１３】実施の形態１における処理フローチャート
【図１４】実施の形態２における処理フローチャート
【図１５】実施の形態３における処理フローチャート
【図１６】実施の形態４における処理フローチャート
【図１７】実施の形態５における処理フローチャート
【図１８】実施の形態６における処理フローチャート
【図１９】実施の形態７における処理フローチャート
【図２０】実施の形態８における処理フローチャート
【符号の説明】
【０１０２】
１０１    非接触リーダライタ
１０２    情報記録担体
１０３    メイン処理部
１０４    符号化部
１０５    変調部
１０６    送信部
１０７    受信部
１０８    復調部
１０９    メモリ
１１０    比較部
１１１    復号化部
２１２    フィルタ
４１３    受信部
４１４    復調部
４１５    復号化部
４１６    メイン処理部
４１７    符号化部
４１８    変調部
４１９    送信部
４２０    メモリ
４２１    比較部
５２２    フィルタ
７２３    算出部
１０２４    算出部
【図１】
2008027270.tif 000003
【図２】
2008027270.tif 000004
【図３】
2008027270.tif 000005
【図４】
2008027270.tif 000006
【図５】
2008027270.tif 000007
【図６】
2008027270.tif 000008
【図７】
2008027270.tif 000009
【図８】
2008027270.tif 000010
【図９】
2008027270.tif 000011
【図１０】
2008027270.tif 000012
【図１１】
2008027270.tif 000013
【図１２】
2008027270.tif 000014
【図１３】
2008027270.tif 000015
【図１４】
2008027270.tif 000016
【図１５】
2008027270.tif 000017
【図１６】
2008027270.tif 000018
【図１７】
2008027270.tif 000019
【図１８】
2008027270.tif 000020
【図１９】
2008027270.tif 000021
【図２０】
2008027270.tif 000022